(57)【要約】【課題】  従来の携帯ごみ箱は、厚紙やダンボールにより形成される使い捨てであったが、携行しやすく持ち帰りも任意の運搬手段を選べる携帯ごみ収納バッグを提供する。【解決手段】一定の量のごみを収納できる袋体３の開口部２にチャック４付きファスナー５を取り付け、かつその袋体３の表面には、一方側部寄りの上部と中ほどと下部及びその対向側の下部と、前記ファスナー５寄り下部中ほどのそれぞれの部位に、掛け穴８付き係止片９を５個取り付けたごみ収納バッグ１１に、別途に形成される複数個のフック１６付き運搬ベルト１３を組み合わせた携帯ごみ収納バッグ１とする。【選択図】図１
2005119867.tif 000002
【特許請求の範囲】
【請求項１】
一定の量のごみを収納できる袋体の開口部にチャック付きファスナーを取り付けて成る表面側に、一方端部寄りの上部と中ほどと下部及びその対向側下部と、前記ファスナーの下部中ほどのそれぞれの部位に、掛け穴付き係止片を取り付けたごみ収納バッグを形成し、そのごみ収納バッグに、別途に形成される複数個のフックを取り付けた運搬ベルトを組み合わせた構成を特徴とする携帯ごみ収納バッグ。
【請求項２】
上記する開口部が、一方側上部から他方側の下方寄りに傾斜する円弧状である請求項１に記載する携帯ごみ収納バッグ。
【請求項３】
上記する袋体の下部寄りを、表裏二枚の生地を緩やかな曲線状に縫い付けて円弧底を形成する請求項１又は請求項２に記載する携帯ごみ収納バッグ。
【発明の詳細な説明】
【技術分野】
【０００１】  本発明は、野外のハイキングや行楽地に家族や仲間などと出かける際に持参し、楽しんだ後に出る生ごみや不燃ごみなどを体裁良く収納して持ち帰ることができる機能的なごみ収納バッグに関する。
【背景技術】
【０００２】  従来、屋外に遠出でして楽しんだ後に出るごみの処理方法は、その場所に備えられたごみ箱に捨てるが、そのごみ箱がない多くの場所では物蔭や林や藪の中にこっそり捨てる場合が多く、また自動車で帰える場合は途中のドライブインのごみ箱に捨てたり、中には走る車の窓から捨てて処理を行っている者も多い。【０００３】  上記するような観点から、屋外でのごみ処理に使う目的の携帯型のごみ箱の技術もある。ひとつは携帯用ごみ箱の技術であり、板紙や合成樹脂板などの肉薄板材をもって角部において屈曲できるように形成した６角筒状の主体内に、カセット式のプラスチック製袋と天板を組み込むことで不要時には板状に折りたため、使う時は簡単に組み立てて使用できる携帯用ごみ箱の技術がある。（例えば、特許文献１参照）【０００４】  他の技術としては、自動車の車内に備えられることを目的とした自動車携帯型使い捨てごみ箱がある。この技術はダンボール製の筒型本体内部に設けた中枠を上部に嵌着した合成樹脂製袋と、筒型本体上部の隅に設けた合成樹脂製袋および中枠を係止するフックを設けたごみ箱を形成することで、ごみ箱内部に貯まった一般ごみはもとより液状物のごみが外部に漏れない自動車携帯型の使い捨てごみ箱がある。（例えば、特許文献２）
【特許文献１】実用新案公告昭６３−１５１２９
【特許文献２】実用新案公開平３−３５９０２
【発明の開示】
【発明が解決しようとする課題】
【０００５】  屋外に出た場合のごみ処理において、その地に備えられたごみ箱に捨てることはまだよいとして、そのままその場所に置き去りにしたり林や藪の蔭に捨てたり、走る車の窓から投げ捨てるなど極めて悪質で危険なごみ処理をしている者が多く、これはマナー以前の問題である。その行為は環境の汚染や自然破壊の問題として、地元の人はもとより自治体のみならず社会問題としてだれもがその対策に苦慮しているのが現状である。【０００６】  他方、上記するような携帯型または使い捨てごみ箱の技術が提供され、それぞれ屋外に携行して使えるごみ箱である。しかし上記したごみ箱の技術は以下に示すような不便や使いにくさあった。まず実用新案公告昭６３−１５１２９による携帯用ごみ箱の技術は、板紙などによる薄板材で形成した６角状で成る底板のがない組み立て式のごみ箱であるが、組み立て及び折り畳み方式であるため構造は複雑でコスト高であることに加えて、使い捨てであるので資源をムダにする。またごみが入った状態で持ち帰る時は、箱が開いてごみが出たり匂いが放散することもあるので、そのごみ箱を収納するための別の袋が必要であるなどの不便や欠点がある。【０００７】  次に、実用新案公開平３−３５９０２における自動車携帯型の使い捨てごみ箱は、自動車内に置いて使うごみ箱としては一定の機能を果たすが、このごみ箱はダンボール素材により形成される筒型本体を形成するごみ箱であるため、自動車内に置いて使用するには問題ないが、車内から持ち出して携行するには構成的に使いにくいごみ箱である。また筒型本体内には合成樹脂製袋をひとつセットできることにより、一般ごみの収納はもとより液状物であっても外に漏れないごみ箱で、かつごみを収納したまま使い捨てできるごみ箱であるが、合成樹脂製袋は構成上ひとつしかセットできないため、一般ごみと不燃ごみを混在して収納することになるので持ち帰った後はそのまま捨てられず、ごみを全部出して一々不燃ごみと一般ごみに別けて処理しなければならないなどの不便や欠点がある。
【課題を解決するための手段】
【０００８】  以上のような従来の技術が持つ不便や欠点を解消するために、本発明は以下のような携帯ごみバッグを構成する。まず請求項１においては、一定の量のごみを収納できる袋体の開口部にチャック付きファスナーを取り付けた袋体を形成し、かつその袋体の表面には、一方側部の上部と中ほどと下部及びその対向側下端部と、前記ファスナー寄り下部中ほどのそれぞれの部位に、掛け穴付き係止片を取り付けたごみ収納バッグを形成し、そのごみ収納バッグに、別途に形成される複数個のフックを取り付けて成る運搬ベルトを組み合わせた携帯ごみ収納バッグとする。【０００９】  請求項２においては、上記する開口部が、一方側上部から他方側の下方寄りに傾斜する円弧状にすることで、デザイン的にも体裁のよい携帯ごみ収納バッグとする。【００１０】  請求項３においては、袋体の下部寄りの表裏二枚の生地を、緩やかな曲線状に縫い付けて円弧底を形成することで、袋体に強度を持たせた携帯ごみ収納バッグを構成するが、以下、その実施例をさらに具体的に説明する。
【発明の効果】
【００１１】  本発明による携帯ごみバッグは以上のような構成を成すので、次のような特徴や効果を提供する。まず、ごみ収納袋の素材は布や合成樹脂シート材であるので、小さく簡単に折りたためるので、携行する場合はコンパクトで場所をとらず苦にならない。さらにごみの収納についても通常の袋に入れるのと同じ要領で収められるので子供でも容易に行え、また袋体の内部には市販のごみ袋がセットされているので、水気が多いごみを収納しても外に漏れる心配もないし、持ち帰ってごみを処分する時は袋体から取り出してそのまま捨てられる。また市販のごみ袋を二つ容易して行くとあらかじめ分別して収納できるので、処理時に分別する手間や面倒はない。【００１２】  加えて、袋体には複数個の掛け穴付き係止片を設け、他方、運搬ベルトには前記係止片に掛け留められる複数個のフックを付けているので、ごみを入れて持ち帰る時は、袋体に取り付ける運搬ベルトのフックの掛け方次第で手提げやショルダー、リユックなどにすることができるため、ごみの量や持参する人の好みなどに応じて任意の運搬手段を取れる。【００１３】  さらに素材的に様々な色や柄を持つ洒落たごみ収納バッグを形成できるので、別の袋に入れて隠すようにして持ち帰らなくても体裁の良い携帯ごみ収納バッグであるとともに、使い捨てではないため何度でも使える。またごみ収納の目的以外の携行バッグとしても使え、構造もシンプルで縫製や接着で容易に製造できるため安価なコストで提供することが可能である。
【発明を実施するための最良の形態】
【００１４】  ごみ収納バッグを形成する袋体の表面に複数個の掛け穴付き係止片を設けた袋体に、複数個のフックを取り付けた運搬ベルトを組み合わせたごみ収納バッグを形成することで、、屋外に携行してごみを収納することはもとより、持ち帰る時は任意の運搬手段により機能的に持ち帰ることができる携帯ごみ収納バッグを実現した。
【実施例】
【００１５】  本発明実施例を図１に示すごみ収納バッグと運搬ベルトを一組とする斜視図と図２に示すごみ収納バッグの平面図、図３の袋体に取り付ける一部係止片部を示す拡大斜視図及び図４の運搬ベルトの一部フック部を示す拡大斜視図を参照して説明する。【００１６】  この発明による携帯ごみ収納バッグ１の素材は、麻や綿などの布地または柔軟な合成樹脂素材によって矩形状を成す上部に開口部２を有する袋体３とし、かつ前記開口部２は、一方端部から他方の中ほど寄りに傾斜する円弧状を成す開口部２とし、その開口部２にチャック４付きファスナー５を取り付け、さらに袋体３の底側となる下端部には、表裏の生地２枚を緩やかな円弧状に縫い付けて円弧底部６を成す袋体３の表面に、右端上部と中ほどと下部及び対向側の左下部に加えて、前記した開口部２のファスナー５寄り中ほど部位それぞれに、図３に示すように金属や合成樹脂材で成る縁輪７を有する掛け穴８付き係止片９、係止片９ａ、係止片９ｂ、係止片９ｃ、係止片９ｄの５個を縫い付け部１０によって順次袋体３面に複数個の係止片９を取り付けて成るごみ収納バッグ１１を形成する。【００１７】  次に、以上のようなごみ収納バッグ１１には、運搬時に手提げやショルダーやリュックとして使える携行部材１２となる運搬ベルト１３が組み合わされるものであり、その運搬ベルト１３の素材は布または柔軟な合成樹脂材によるものとする。まず一定の長さの運搬ベルト１３の中ほどを二つ折りして縫い付け部１０による通し穴１４に角状のリング１５を取り付け、さらにその左右には、端部と中ほどに前記袋体３の係止片９の縁輪７と同様の、縁輪７付き掛け穴８を設けた運搬ベルト１３を形成した前記掛け穴８それぞれに、リング１５を介したフック１６、フック１６ａ、フック１６ｂ、フック１６ｃ、フック１６ｄを順に取り付けて成る運搬ベルト１３を、前記ごみ収納バッグ１１に組み合わせて本発明による携帯ごみ収納バッグ１を構成する。【００１８】  本発明は以上のような携帯ごみ収納バッグ１を構成するので、屋外に携行するに当たってはごみ収納バッグ１１内に市販ごみ袋Ａをセットした上で運搬ベルト１３とともにコンパクトに折りたたんで持参し、行楽地において食事など楽しんだ後に出る一般ごみや不燃ごみなどは、図５に示すように袋体３内にセットした市販ごみ袋Ａ内に収納ごみＢとしてきれいに収められる。さらに収納後は運搬する本人の好みにより手提げバッグもしくはショルダーまたはリュックサックなど、運搬ベルト１３のいずれかのフック１６を袋体３のいずれかの係止片９の掛け穴８に掛け留めるだけで容易に選択することができる構成である。【００１９】  ちなみに手提げバッグやショルダー、リュックにする一例を示すと、まず手提げにする方法は、二つ折りしたベルト１３のフック１６ｂを袋体３の係止片９に掛け、他方のフック１６と１６ｄ二つを袋体３の係止片９ｂに掛け留めると手提げとして携行できる。【００２０】  またショルダーとする場合は、ベルト１３を伸ばした状態でフック１６を袋体３の係止片９に掛け、他方のフック１６ｄを袋体３の係止片９ｄに掛け留めるとショルダーとして肩に掛けられる。【００２１】  さらにリュックにするには、ベルト１３の中ほどに位���するフック１６ｂを袋体３の係止片９ｄに掛け、両サイドの一方のフック１６ｄは袋体の係止片９ｂに、他方のフック１６を袋体３の９ｃに掛け留めるとリュックとして背負える形になるが、これ以外にもフックの掛け方次第で多様な運搬手段が選べる。【００２２】  本発明の携帯ごみ収納バッグ１における袋体３は、布や軟質樹脂シートで形成されているが、その内側にクッションシートを貼り付けてもよいし、また運搬ベルト１３を丈夫な紐を採用しても差し支えない。また図面上はチャックは右端に位置して開口状態を示しているが、反対に右にスライドさせると開口するようにしてもよく、いずれも特に限定されるものであない。
【産業上の利用可能性】
【００２３】  この発明における携帯ごみ収納バッグは屋外に遊びに行った際に出るごみを収納して持ち帰ることを目的とするものであるが、行楽に行く際の食料などを収納するバッグとして用いたり、日常的に行われる一般荷物の運搬用にも適用できる。
【図面の簡単な説明】
【００２４】
【図１】  本発明の携帯ごみ収納バッグを示すごみ収納バッグと運搬ベルトの斜視図である。
【図２】  ごみ収納バッグを示す平面図である。
【図３】  袋体に取り付ける一部係止片部を示す拡大斜視図である。
【図４】  運搬ベルトに取り付ける一部フック部を示す拡大斜視図である。
【図５】  ごみ収納バッグにごみを収納した状態を示す拡大断面図である。
【符号の説明】
【００２５】１  携帯ごみ収納バッグ
２  開口部
３  袋体
４  チャック
５  ファスナー
６  円弧底部
７  縁輪
８  掛け穴
９  係止片
９ａ  係止片
９ｂ  係止片
９ｃ  係止片
９ｄ  係止片
１０  止い付け部
１１  ごみ収納バッグ
１２  携行部材
１３  運搬ベルト
１４  通し穴
１５  リング
１６  フック
１６ａ  フック
１６ｂ  フック
１６ｃ  フック
１６ｄ  フック
Ａ  市販ごみ袋
Ｂ  収納ごみ
【図１】
2005119867.tif 000003
【図２】
2005119867.tif 000004
【図３】
2005119867.tif 000005
【図４】
2005119867.tif 000006
【図５】
2005119867.tif 000007